(57)【要約】      （修正有）【課題】莢付き作物の収穫に際して、莢部分とともに回収される被処理物中における夾雑物の混入度合いを低減する莢付き作物収穫機を提供する。【解決手段】後方搬送装置２と、脱莢装置３と、選別装置４と、回収部１Ｄと、が備えられた莢付き作物収穫機であって、選別装置４に、被処理物を後方搬送しながら風選処理する一次選別部４Ａと、風選処理後の被処理物を回収部１Ｄ側へ搬送するとともに、ふるい分け選別する二次選別部４Ｂと、が備えられ、二次選別部４Ｂに、被処理物から莢部分を選別しながら搬送する篩い線４３が備えられている。【選択図】図３
2019180329.tif 000002
【特許請求の範囲】
【請求項１】
収穫対象の莢付き作物を把持して茎ごと後方搬送する後方搬送装置と、
前記後方搬送装置から送り込まれた作物を、茎部分から莢部分を脱落させるように脱莢処理する脱莢装置と、
脱莢処理後の被処理物を選別する選別装置と、
選別処理後の前記被処理物を収容する回収部と、が備えられた莢付き作物収穫機であって、
前記選別装置に、
前記被処理物を後方搬送しながら風選処理する一次選別部と、
風選処理後の前記被処理物を前記回収部側へ搬送するとともに、ふるい分け選別する二次選別部と、が備えられ、
前記二次選別部に、前記被処理物から莢部分を選別しながら搬送する篩い線が備えられている莢付き作物収穫機。
【請求項２】
前記二次選別部が、前記一次選別部で風選処理された前記被処理物を受け止めて前記回収部側へ搬送するコンベヤ装置と、
そのコンベヤ装置の搬送終端部に引き続いて前記被処理物を搬送する前記篩い線と、を備え、
前記篩い線は搬送方向に長い丸棒材で構成されているとともに、
前記篩い線が、搬送始端側を機体固定部に支持され、かつ搬送終端側を自由端とした片持ち状に構成されている請求項１記載の莢付き作物収穫機。
【請求項３】
前記コンベヤ装置には、搬送始端側よりも搬送終端側が高くなる上り傾斜の搬送面が備えられ、
前記篩い線には、搬送始端側よりも搬送終端側が低くなる下り傾斜の搬送面が備えられている請求項２記載の莢付き作物収穫機。
【請求項４】
前記コンベヤ装置の搬送始端部の高さと、前記篩い線における搬送終端部の高さとがほぼ同一高さである請求項２又は３記載の莢付き作物収穫機。
【請求項５】
前記篩い線の横側位置に、前記篩い線の前記搬送面よりも上方側へ突出する横壁部材が設けられている請求項３又は４記載の莢付き作物収穫機。
【請求項６】
前記篩い線の搬送終端における高さ位置は、前記回収部に位置させた回収容器の上端よりも高く位置し、
前記篩い線の前記搬送面における搬送方向に交差する方向の幅は、前記回収容器の開口部分における同方向長さよりも短く設定されている請求項３〜５のいずれか一項記載の莢付き作物収穫機。
【発明の詳細な説明】
【技術分野】
【０００１】
本発明は、農作物のうち、枝豆、インゲン豆、サヤエンドウ等の、莢付き状態で収穫される莢付き作物収穫機に関する。
【背景技術】
【０００２】
この種の莢付き作物収穫機としては、圃場の作物を刈り取って後方上方へ搬送し、後方の脱莢装置で莢部分をもぎ取り、その後に風選処理して、横側方のバケットに莢部分を回収する構造のものがある（特許文献１参照）。
【先行技術文献】
【特許文献】
【０００３】
【特許文献１】特開２０００−２０１５１９号公報（段落「００４４」、図５、図６参照）
【発明の概要】
【発明が解決しようとする課題】
【０００４】
特許文献１に示された構造のものでは、脱莢装置での莢部分のもぎ取り処理時に、多くの葉屑などが莢部分とともに、コンベヤベルトで構成された枝豆受け取り装置上に落下し、そのまま選別装置に送り込まれて選別処理される。
そして、選別処理後の莢部分を受ける別のベルトコンベヤで構成された枝豆受け取り装置を経てバケットに莢部分が回収される。
これによって、枝豆の収穫作業を効率よく行える点では有用なものであるが、次のような問題がある。
つまり、風選処理による選別では、比較的大きな葉屑や、質量の小さいゴミ等は効果的に除去できるが、小さな葉屑や比較的質量の大きい泥土やゴミ等の夾雑物が選別され難く、莢部分とともにバケットに回収されてしまい易いという問題がある。
【０００５】
本発明は、莢付き作物の収穫に際して、莢部分とともに回収される被処理物中における夾雑物の混入度合いを低減しようとするものである。
【課題を解決するための手段】
【０００６】
本発明における莢付き作物収穫機の特徴は、収穫対象の莢付き作物を把持して茎ごと後方搬送する後方搬送装置と、前記後方搬送装置から送り込まれた作物を、茎部分から莢部分を脱落させるように脱莢処理する脱莢装置と、脱莢処理後の被処理物を選別する選別装置と、選別処理後の前記被処理物を収容する回収部と、が備えられた莢付き作物収穫機であって、前記選別装置に、前記被処理物を後方搬送しながら風選処理する一次選別部と、風選処理後の前記被処理物を前記回収部側へ搬送するとともに、ふるい分け選別する二次選別部と、が備えられ、前記二次選別部に、前記被処理物から莢部分を選別しながら搬送する篩い線が備えられている点にある。
【０００７】
本発明によれば、選別部として、風選処理を行う一次選別部と、ふるい分け選別する二次選別部とを備えて、段階的に異なる選別処理を行うことができる。これにより、被処理物中に含まれる大きな葉屑や質量の小さいゴミ等は風選処理する一次選別部で除去し、小さな葉屑や比較的質量の大きい泥土やゴミ等はふるい分け選別する二次選別部で除去することができる。
したがって、選別処理後に回収される被処理物中に、莢部分以外の夾雑物が混入する割合を低減し得る利点がある。
【０００８】
上記構成において、前記二次選別部が、前記一次選別部で風選処理された前記被処理物を受け止めて前記回収部側へ搬送するコンベヤ装置と、そのコンベヤ装置の搬送終端部に引き続いて前記被処理物を搬送する前記篩い線と、を備え、前記篩い線は搬送方向に長い丸棒材で構成されているとともに、前記篩い線が、搬送始端側を機体固定部に支持され、かつ搬送終端側を自由端とした片持ち状に構成されていると好適である。
【０００９】
本構成によれば、風選処理後の被処理物を選別対象とする二次選別部が、風選処理された被処理物を受け止めて回収部側へ搬送するコンベヤ装置と、そのコンベヤ装置の搬送終端部に引き続いて被処理物を搬送する篩い線とを備えたものであるから、選別機能とともに、一次選別部から回収部への搬送手段としての役割をも兼ねている。これにより、搬送及び選別の機能を兼ねて構造の簡素化及びコンパクト化を図り得る。
また、篩い線の搬送終端部側が自遊端であることにより、機体の走行振動等で篩い線の終端側が揺れ易く、したがって、特別な動力を要さない簡単な構造で、篩い線上の被処理物を選別及び搬送することができる。
【００１０】
上記構成において、前記コンベヤ装置には、搬送始端側よりも搬送終端側が高くなる上り傾斜の搬送面が備えられ、前記篩い線には、搬送始端側よりも搬送終端側が低くなる下り傾斜の搬送面が備えられていると好適である。
【００１１】
本構成によれば、被処理物を強制送りするコンベヤ装置では、搬送始端側よりも搬送終端側が高くなる上り傾斜の搬送面が備えられているので、コンベヤ装置上での搬送中に、被処理物を均すように拡散させ易い。つまり、脱莢装置から送り込まれた被処理物が、風選処理過程でコンベヤ装置上の一箇所に集中的に落下堆積したとしても、その堆積物が、コンベヤ装置で搬送する際の機体振動等で、徐々に均平化されてコンベヤ装置の搬送面の広範囲に拡散される傾向がある。
これにより、被処理物が篩い線部分に受け渡される際に、被処理物を篩い線上の広範囲に拡散させた状態とすることができ、篩い線によるふるい分け選別を効果的に行わせることができる。
そして、篩い線では、搬送始端側よりも搬送終端側が低くなる下り傾斜の搬送面が備えられているので、動力なしで滑落させることにより、回収部へ送り込むことができる。
【００１２】
上記構成において、前記コンベヤ装置の搬送始端部の高さと、前記篩い線における搬送終端部の高さとがほぼ同一高さであると好適である。
【００１３】
本構成によれば、コンベヤ装置の搬送始端部の高さと、篩い線における搬送終端部の高さとが、ほぼ同一高さであることにより、二次選別部での適切な搬送機能を確保しながら、機体全体のコンパクト化を図り易い。
つまり、回収部側の高さを基準にして二次選別部を配置するとき、コンベヤ装置の搬送始端部の高さを極端に低くすると、コンベヤ装置の搬送面の傾斜がきつくなりすぎて被処理物のスムースな搬送が行われ難くなる虞がある。逆に、コンベヤ装置の搬送始端部の高さを極端に高くすると、そのコンベヤ装置の上側に配置される一次選別部の高さまで高くする必要が生じ機体全体が嵩高くなる虞があって好ましくない。本構成では、このような不都合を回避し易い。
【００１４】
上記構成において、前記篩い線の横側位置に、前記篩い線の前記搬送面よりも上方側へ突出する横壁部材が設けられていると好適である。
【００１５】
本構成によれば、篩い線の搬送面から被処理物が搬送経路外へ脱落する虞の少ない状態でふるい分け選別し得る。
【００１６】
上記構成において、前記篩い線の搬送終端における高さ位置は、前記回収部に位置させた回収容器の上端よりも高く位置し、前記篩い線の前記搬送面における搬送方向に交差する方向の幅は、前記回収容器の開口部分における同方向長さよりも短く設定されていると好適である。
【００１７】
本構成によれば、篩い線の搬送終端における高さ位置は、回収部に位置させた回収容器の上端よりも高く位置しているので、篩い線の下側で回収容器を自由に移動させて便利に扱うことができる。
そして、篩い線の搬送面における搬送方向に交差する方向の幅は、回収容器の開口部分における同方向長さよりも短く設定されているので、回収容器を篩い線の搬送面の延長端部分と合致する箇所に位置させて、被処理物の回収容器への投入を確実に行わせ易い。
【図面の簡単な説明】
【００１８】
【図１】莢付き作物収穫機を示す左側面図である。
【図２】莢付き作物収穫機を示す平面図である。
【図３】莢付き作物収穫機を示す右側面図である。
【図４】莢付き作物収穫機を示す後面図である。
【図５】脱莢部を示す平面図である。
【図６】脱莢部及び選別部を示す側面視での説明図である。
【図７】篩い線部分を示す後面図である。
【図８】篩い線部分を示す平面図である。
【発明を実施するための形態】
【００１９】
以下、本発明の実施の形態の一例を図面の記載に基づいて説明する。
尚、本実施形態での説明における前後方向及び左右方向は、特段の説明がない限り、次のように記載している。つまり、本発明を適用した莢付き作物収穫機において、走行機体１の作業走行時における前進側の進行方向（図１，２における矢印Ｆ参照）が「前」、後進側への進行方向（図１，２における矢印Ｂ参照）が「後」、その前後方向での前向き姿勢を基準としての右側に相当する方向（図２における矢印Ｒ参照）が「右」、同様に左側に相当する方向（図２における矢印Ｌ参照）が「左」である。
【００２０】
〔全体構成〕
図１乃至図４は、莢付き作物としての枝豆を収穫する莢付き作物収穫機を例示したものである。
この莢付き作物収穫機は、機体フレーム１０の下方に左右一対のクローラ式の走行装置１１を備え、機体フレーム１０上における右側前部に操縦部１２を備えて走行機体１を構成している。
走行機体１には、圃場の作物を収穫する収穫部１Ａと、収穫された作物（被処理物に相当する）の莢部分を茎部分から分離させるように脱莢処理する脱莢部１Ｂと、脱莢処理された被処理物を選別する選別部１Ｃと、被処理物から選別された莢部分を収容する回収部１Ｄと、が備えられている。
【００２１】
本発明の莢付き作物収穫機が収穫対象とするのは、枝豆、インゲン豆、サヤエンドウ等の、莢付き状態で収穫される莢付き作物である。この実施形態でいう莢付き作物とは、茎部分（主茎）に葉部（本葉）や莢部分（莢）がついた状態の全体を指し、莢部分とは、莢に実が内包されている状態のものを指す。
【００２２】
枝豆を収穫対象とした莢付き作物収穫機において、収穫部１Ａによる収穫時点では、茎部分に葉部や根部がついたままで抜き取られ、後方搬送される。つまり、この収穫時点では、作物全体が被処理物として収穫される。
脱莢部１Ｂでは、茎部分を把持された状態の作物から莢部分が、もぎ取られるように脱莢処理されるが、このとき、多くの葉部や茎の一部も同時的に茎部分から分離されて脱落する。この脱莢処理時点では、作物のうち、脱莢部１Ｂに送り込まれた部位が被処理物として処理される。脱莢処理後の茎部分や根部等の排稈部分は機外へ排出される。
選別部１Ｃでは、脱莢処理されて茎部分から分離した莢部分や葉部が選別対象の被処理物となる。そして、選別部１Ｃで葉部等の大部分の夾雑物が除去された後の被処理物が回収部１Ｄに送り込まれる。
【００２３】
走行機体１の機体フレーム１０における右前部には、エンジン１３を備える原動部が設けられ、この原動部の上側を覆う状態に前記操縦部１２の運転座席１２ａが設置されている。そして、運転座席１２ａの前方下方には操縦部ステップ１２ｂが備えられ、その操縦部ステップ１２ｂの前部に操向操作用の操作具等を備えた操縦塔１２ｃが設けられている。
【００２４】
〔収穫部〕
収穫部１Ａについて説明する。
図１及び図２に示すように、収穫部１Ａには、収穫対象の莢付き作物を把持して茎ごと後方搬送する後方搬送装置２が備えられている。
この後方搬送装置２は、圃場の作物の茎部分を挟持した状態で抜き取って後方上方へ搬送する長尺の挟持搬送装置２０と、挟持搬送装置２０の搬送終端部で、作物の上部を横倒し姿勢に姿勢変更して、後続の脱莢装置３へ受け渡す横倒し供給装置２３と、を備えている。これらの挟持搬送装置２０と横倒し供給装置２３が走行機体１の機体左側部に配置されている。
【００２５】
挟持搬送装置２０は、搬送始端部が地面近くに位置し、搬送終端側ほど機体後方側で高レベルに位置する後上り傾斜姿勢の左右一対の無端回動ベルト２０ａ，２０ａと、その無端回動ベルト２０ａ，２０ａを巻回した駆動プーリ２０ｂ及び従動プーリ２０ｃと、を備えて、左右の無端回動ベルト２０ａ，２０ａの間に莢付き作物の茎部分を挟持するように構成されている。
また、挟持搬送装置２０には、上記の無端回動ベルト２０ａ，２０ａ、駆動プーリ２０ｂ、及び従動プーリ２０ｃを支持する支持フレーム２１の前部に、植立状態の作物の根部付近の土壌を切るサブソイラー２２が取り付けられている。
したがって挟持搬送装置２０では、植立状態の作物の茎部分を左右一対の無端回動ベルト２０ａ，２０ａに挟持させ、かつ、植立状態の作物の根部付近の土壌をサブソイラー２２で切り進むことにより、莢付き作物の全体が地面から引き抜かれる。そして、引き抜かれた莢付き作物が無端回動ベルト２０ａ，２０ａに把持された状態で後方上方へ搬送される。
【００２６】
横倒し供給装置２３は、無端回動チェーン２４ａと起伏爪２４ｂを備えた掻き込み回転体２４と、莢付き作物の横倒れ方向を案内するガイド板２５ａ、２５ｂと、を備えている。
この横倒し供給装置２３は、掻き込み回転体２４の前部が挟持搬送装置２０の終端部と前後方向で重複し、掻き込み回転体２４の後部が後述するフィードチェーン２６の前端部と前後方向で重複するように設けられている。つまり、莢付き作物に対する横倒し供給装置２３による横倒し作用が、挟持搬送装置２０による後方搬送作用が終了する前から作用し、横倒し供給装置２３による横倒し作用の終了前に、フィードチェーン２６による後方搬送が開始されているように、横倒し供給装置２３の配設位置を設定してある。
また、図１，２に示すように、挟持搬送装置２０の終端部とフィードチェーン２６の前端部も前後方向で重複する位置関係にあり、挟持搬送装置２０による莢付き作物の挟持搬送領域と、フィードチェーン２６による搬送領域とが部分的に重複するように、挟持搬送装置２０とフィードチェーン２６が配設されている。
【００２７】
掻き込み回転体２４と、挟持搬送装置２０の終端部と、フィードチェーン２６の前端部と、の上下方向での位置関係は、掻き込み回転体２４の無端回動チェーン２４ａが最も高く、フィードチェーン２６の前端部が最も低く、その中間に挟まれる状態で挟持搬送装置２０の終端部が位置するように配置されている。
また、左右方向では、図２に示すように、挟持搬送装置２０の左右一対の無端回動ベルト２０ａ，２０ａの挟持搬送面によって構成される引き抜き搬送経路ｒ１の延長線が、平面視でフィードチェーン２６の左横外側に位置している。そして、掻き込み回転体２４の無端回動チェーン２４ａが、引き抜き搬送経路ｒ１の左横外側から、フィードチェーン２６の位置を越えて、右横側方へ向けて莢付き作物の杆身を横倒しするように設けられている。
【００２８】
図２において、挟持搬送装置２０の無端回動ベルト２０ａ，２０ａのうち、左側の無端回動ベルト２０ａは時計回りに回転し、右側の無端回動ベルト２０ａは反時計回りに回転する。掻き込み回転体２４の無端回動チェーン２４ａは時計回りに回転している。フィードチェーン２６は、図１において時計回りに回転している。
【００２９】
〔脱莢部〕
脱莢部１Ｂについて説明する。
図１乃至図６に示されるように、脱莢部１Ｂには、莢付き作物の茎部分から莢部分を脱落させるように脱莢処理する脱莢装置３が備えられている。
脱莢装置３は、上下一対の前部回転軸体３０，３０と、上下一対の後部回転軸体３１，３１と、を備えている。
【００３０】
前側に位置する上下の前部回転軸体３０，３０のそれぞれは、反時計回りに回転する上側の回転軸３０ａと、時計回りに回転する下側の回転軸３０ａによって回転駆動される。
各前部回転軸体３０，３０は、図６に示すように、丸筒状の胴部の外周面上に板状の突起部材が突出した断面形状に形成され、被処理物を掻き込むように回転駆動される。
後側側に位置する上下の後部回転軸体３１，３１のそれぞれは、反時計回りに回転する上側の回転軸３１ａと、時計回りに回転する下側の回転軸３１ａによって回転駆動される。
各後部回転軸体３１，３１は、図６に示すように、回転軸３１ａの外周面上に幅広の板状の突起部材が突出した断面形状に形成され、被処理物を掻き込むように回転駆動される。
【００３１】
上記の前部回転軸体３０，３０と後部回転軸体３１，３１は、フィードチェーン２６の挟持搬送面２６ａを挟んで、その上側と下側とに振り分けて配設されている。
したがって、フィードチェーン２６に根部側を挟持された莢付き作物の上部が、上側の前部回転軸体３０と下側の前部回転軸体３０の間、及び上側の後部回転軸体３１と下側の後部回転軸体３１の間を通過する際に、前部回転軸体３０，３０と後部回転軸体３１，３１によって叩かれ、かつ、しごかれる。このように、フィードチェーン２６に挟持されて引っ張られる茎部分が、上下の前部回転軸体３０，３０、及び後部回転軸体３１，３１の間を通過する際にも受けるしごきも加えられることによって、茎部分から莢部分が効率良くもぎ取られる。このようにして脱莢処理が行われる。
【００３２】
茎部分から脱落した莢部分や葉部を含む被処理物は、受け止めコンベヤ３２上に落下し、後方へ送られて選別処理される。莢部分を除去した茎部分は、フィードチェーン２６に挟持されたまま後方へ搬送され、機体後端部から機外へ落下放出される。フィードチェーン２６は、上面側が挟持搬送面２６ａであり、上面側に対向する挟扼ガイド２７との間に茎部分を挟持し得るものである。
【００３３】
〔選別部〕
選別部１Ｃについて説明する。
選別部１Ｃには、脱莢処理後の被処理物を選別する選別装置４が備えられている。
選別装置４には、風選処理を行う一次選別部４Ａと、ふるい分け選別を行う二次選別部４Ｂと、が備えられている。
一次選別部４Ａには、選別風を発生する唐箕４０と、後方側へ被処理物を搬送する選別コンベヤ４１とが備えられている。
二次選別部４Ｂには、風選処理後の被処理物を回収部１Ｄ側へ搬送する選別搬送コンベヤ４２（コンベヤ装置に相当する）と、ふるい分け用の篩い線４３とが備えられている。
【００３４】
一次選別部４Ａでは、唐箕４０が脱莢装置３の受け止めコンベヤ３２の下側に配設されている。そして、受け止めコンベヤ３２の終端と、選別コンベヤ４１の始端との間では、受け止めコンベヤ３２の終端よりもやや低い位置に始端を位置させて選別コンベヤ４１が配設されている。選別コンベヤ４１の始端と受け止めコンベヤ３２の終端との間には、唐箕４０による送風状態で、比重の小さい塵埃や面積の大きい葉部等が浮遊して選別コンベヤ４１側へ受け渡され、比較的比重の大きい莢部分が落下するように、風選処理に適した間隔ｄ１が設けられている。
【００３５】
選別コンベヤ４１は、水平線に対して所定角度θだけ、後上がりに傾斜した搬送面４１ａを備えている。このように選別コンベヤ４１の搬送面４１ａが後上がり傾斜であることにより、一旦、選別コンベヤ４１側へ受け渡された莢部分があっても、搬送面４１ａの傾斜によって前方下方へ戻され易くなり、作物ロスを軽減し易い。
選別コンベヤ４１の傾斜搬送面４１ａの所定角度θは、唐箕４０の送風羽根の回転軌跡と選別コンベヤ４１の始端を結ぶ接線Ｌ１の傾斜よりは緩やかな角度である。これは、搬送面４１ａに乗った被処理物に対しては直接に唐箕の風圧が作用せず、選別コンベヤ４１の送り作用で比重の小さい葉部等の夾雑物が持ち上げられ後方側へ排出されるようにするためである。このとき、一旦、搬送面４１ａに乗った莢部分は、自身の重みでずり下がるように、搬送面４１ａの傾斜、及び摩擦係数を設定してある。
【００３６】
図６に示すように、二次選別部４Ｂでは、一次選別部４Ａでの風選処理時に、比較的比重が大きくて落下する莢部分等を受け止められるように、選別搬送コンベヤ４２が、選別コンベヤ４１の始端と受け止めコンベヤ３２の終端との間に設けられた風選処理に適した間隔ｄ１の下方に配設されている。
この選別搬送コンベヤ４２は、図２及び図４に示すように、風選処理後の被処理物を回収部１Ｄ側へ搬送するものである。そのため、走行機体１の左側寄り位置に配設されている一次選別部４Ａから、右側端部近くの回収部１Ｄへ向けて左右方向に長く延設されている。
【００３７】
図４に示すように、選別搬送コンベヤ４２は、搬送始端側よりも搬送終端側が高くなる上り傾斜の搬送面４２ａが備えられている。この選別搬送コンベヤ４２の上り傾斜は、一次選別部４Ａでの風選処理時に落下した被処理物が搬送面４２ａ上の左側端部に多く堆積した場合に、その堆積物を均平化し易くするためのものである。
つまり、堆積物が単なる水平面上を移動する場合よりも、上り傾斜面上を移動する方が、重力のかかり具合が僅かながらも搬送後方側寄りに作用した状態で搬送されるので、堆積物の山が崩れ易く、機体振動等も有効に作用して、搬送途中で堆積物を均しながら搬送し得る。そして、選別搬送コンベヤ４２の終端から篩い線４３に受け渡す際に、山状に堆積したままの被処理物を受け渡すよりも、均平化した状態の被処理物を受け渡す方が、篩い線４３によるふるい分けもスムースに行われ易い。
【００３８】
選別搬送コンベヤ４２の搬送終端部に引き続いて被処理物を回収部１Ｄ側へ搬送しながらふるい分けする篩い線４３は、図４及び図７に示すように、搬送始端側を、選別搬送コンベヤ４２の支持枠体４４（機体固定部に相当する）に支持され、搬送終端側は自由端にして片持ち状態で取り付けられている。
篩い線４３は、搬送方向に長い多数本の丸棒材４３ａで構成され、この丸棒材４３ａ群によって、搬送方向終端側が搬送始端側よりも低くなる下り傾斜の搬送面が形成されている。
【００３９】
図７及び図８に示すように、篩い線４３を構成する丸棒材４３ａ群のうち、最外側位置（横側位置に相当する）、つまり、前後方向での前端と後端とに位置する丸棒材４３ａよりもさらに外側、つまり、さらに前側と後側とに、丸棒材４３ａ群によって形成される搬送面よりも上方側へ突出する横壁部材４３ｂ，４３ｂが設けられている。
この横壁部材４３ｂ，４３ｂは、各丸棒材４３ａに対しては直接には固定されておらず、各丸棒材４３ａを各丸棒材４３ａの始端側で連結する横桟部材４３ｃに連結固定されている。
各丸棒材４３ａも、互いには連結されておらず、横桟部材４３ｃに対して、各別に連結されている。そして、各丸棒材４３ａは、比較的細い棒状であるため、機体振動等で揺れ動き易く、各丸棒材４３ａの隙間から莢部分以外の夾雑物等を落下除去し易いものである。
【００４０】
篩い線４３の搬送終端における高さ位置、すなわち丸棒材４３ａの下端位置は、後述する回収部１Ｄに位置させた回収容器５０の上端よりも高く位置設定してある。また、この高さは、選別搬送コンベヤ４２の搬送始端部における搬送面４２ａの高さと同一、もしくは同程度の高さに設定されている。
そして、図２に示すように、篩い線４３の搬送面における搬送方向に交差する方向の幅ｗ１は、前記回収容器５０の上向き開口部分における同方向長さｗ２よりも短く設定されている
【００４１】
〔回収部〕
回収部１Ｄについて説明する。
回収部１Ｄは、走行機体１の右側部において、機体フレーム１０の前後方向に沿って設けられた搭載台５である。
この搭載台５は、複数個の回収容器５０を搭載可能であるように、前後方向長さが設定されている。そして、一つの回収容器５０を所定姿勢で搭載したとき、その回収容器５０が、二次選別部４Ｂの終端部に位置して、被処理物を投入可能な状態とすることができるように、搭載台５の左右方向幅、及び高さを設定してある。
【００４２】
〔別実施形態の１〕
上記の実施形態では、収穫部１Ａに備える後方搬送装置２として、圃場の作物の茎部分を挟持した状態で抜き取って後方上方へ搬送する長尺の挟持搬送装置２０と、掻き込み回転体２４で作物の上部を横倒し姿勢に姿勢変更して、後続の脱莢装置３へ受け渡すようにした横倒し供給装置２３と、を備えた構造のものを例示したが、必ずしもこの構造に限定されるものではない。
例えば、横倒し供給装置２３として掻き込み回転体２４を備えずに、単なるガイド杆に案内させて横倒し姿勢に変更する構造や、その他の横倒し手段を採用してもよい。また、横倒し供給装置２３そのものを備えずに、挟持搬送装置２０の終端側が横倒し方向に少し傾けられたものであってもよい。
その他の構成は、前述した実施形態と同様の構成を採用すればよい。
【００４３】
〔別実施形態の２〕
上記の実施形態では、後方搬送装置２として、圃場の作物の茎部分を挟持した状態で抜き取って後方上方へ搬送する長尺の挟持搬送装置２０を備えた構造のものを示したが、この構造に限られるものではない。
例えば、後方搬送装置２として、作物の抜き取りを行うのではなく、挟持搬送装置２０の始端側に刈り取り装置を設けて、作物の茎部分を切断して後方搬送するように構成されたものであってもよい。
その他の構成は、前述した実施形態と同様の構成を採用すればよい。
【００４４】
〔別実施形態の３〕
上記の実施形態では、脱莢装置３として、上下一対の前部回転軸体３０，３０と、上下一対の後部回転軸体３１，３１と、を備えた構造のものを例示したが、必ずしもこの構造に限られるものではない。
例えば、前部回転軸体３０，３０と後部回転軸体３１，３１の何れか一方のみで構成された構造とか、別の脱莢手段を採用した構造のものであってもよい。
その他の構成は、前述した実施形態と同様の構成を採用すればよい。
【００４５】
〔別実施形態の４〕
上記の実施形態では、上下一対の前部回転軸体３０，３０と、上下一対の後部回転軸体３１，３１とが、それぞれ回転軸３０ａ，３０ａ、及び回転軸３１ａ，３１ａによって回転駆動される構造のものを例示したが、必ずしもこの構造に限定されるものではない。
例えば、各回転軸３０ａ，３０ａ、及び各回転軸３１ａ，３１ａを、図６に仮想線で示したように、偏心軌跡ｒ２，ｒ３に沿って公転するように構成してもよい。
つまり、反時計回りに回転する上側の回転軸３０ａと、時計回りに回転する下側の回転軸３０ａによって上下一対の前部回転軸体３０，３０が回転駆動される。そして、各回転軸３０ａ，３０ａは、自転しながら、偏心軌跡ｒ２，ｒ２に沿って公転する。偏心軌跡ｒ２，ｒ２の回転方向は各回転軸３０ａ，３０ａの自転方向と同方向回転である。
後側側に位置する上下の後部回転軸体３１，３１のそれぞれは、時計回りに回転する上側の回転軸３１ａと、反時計回りに回転する下側の回転軸３１ａによって回転駆動される。そして、各回転軸３１ａ，３１ａは、自転しながら、偏心軌跡ｒ３，ｒ３に沿って公転する。偏心軌跡ｒ３，ｒ３の回転方向は各回転軸３１ａ，３１ａの自転方向と同方向回転である。
これによって、前部回転軸体３０，３０側における上下の前部回転軸体３０，３０同士の遠近運動量、及び後部回転軸体３１，３１側における上下の後部回転軸体３１，３１同士の遠近運動量が大きくなり、大きく叩き作用と行うことができる。
【００４６】
〔別実施形態の５〕
上記の実施形態では、選別装置４の二次選別部４Ｂとして、搬送始端側よりも搬送終端側が高くなる上り傾斜の搬送面４２ａを有した選別搬送コンベヤ４２を採用した構造のものを例示したが、必ずしもこの構造に限られるものではない。
例えば、選別搬送コンベヤ４２の搬送面４２ａを水平方向に沿う平坦面に形成して、後続の篩い線４３を下り傾斜の搬送面が形成された構造としてもよい。
その他の構成は、前述した実施形態と同様の構成を採用すればよい。
【００４７】
〔別実施形態の６〕
上記の実施形態では、篩い線４３の搬送始端側を、機体固定部に支持させ、搬送終端側は自由端にして片持ち状態で取り付けた構造のものを例示したが、必ずしもこの構造に限定されるものではない。
例えば、篩い線４３の多数の丸棒材４３ａの一部、もしくは全部を、強制的に振動させるように、図示しない適宜の振動発生装置に連係させてもよい。この場合、微振動、もしくは大きく上下揺動させるなど、適宜の振動形態を採用することも自由である。
その他の構成は、前述した実施形態と同様の構成を採用すればよい。
【００４８】
〔別実施形態の７〕
上記の実施形態では、回収部１Ｄとして、走行機体１の機体フレーム１０に固定された扁平板状の搭載台５を備える構造のものを例示したが、この構造に限られるものではない。
例えば、前後方向に長いベルトコンベヤやローラコンベヤ、あるいは多数のベアリングボールを設ける等して、回収容器５０の移動を楽に行える構造の搭載台５を構成しても良い。
その他の構成は、前述した実施形態と同様の構成を採用すればよい。
【産業上の利用可能性】
【００４９】
本発明は、枝豆を処理対象とするものに限らず、インゲン豆やサヤエンドウ等の、莢付き状態で収穫される各種の莢付き作物を処理対象とする作物収穫機に適用してもよい。
【符号の説明】
【００５０】
１Ｄ            回収部
２              後方搬送装置
３              脱莢装置
４              選別装置
４Ａ            一次選別部
４Ｂ            二次選別部
４２            コンベヤ装置
４２ａ          搬送面
４３            篩い線
４３ａ          丸棒材
４３ｂ          横壁部材
５０            回収容器
ｗ１            搬送方向に交差する方向の幅
ｗ２            開口部分における同方向長さ
【図１】
2019180329.tif 000003
【図２】
2019180329.tif 000004
【図３】
2019180329.tif 000005
【図４】
2019180329.tif 000006
【図５】
2019180329.tif 000007
【図６】
2019180329.tif 000008
【図７】
2019180329.tif 000009
【図８】
2019180329.tif 000010